(57)【要約】【課題】遊技球の貸し出しに伴う違和感軽減と誤操作回避との両立を図る。【解決手段】遊技球受皿１２４を形成する遊技者側延出縁部１２２の側に左手の掌を位置させて遊技している最中に遊技者が遊技球貸し出しを行う場合、左手における親指以外の指は遊技球受皿１２４の中、或いは盤面側延出縁部１２１の側に位置することから、貸出ボタン１３０の操作は、必然的に左手の親指ＯＹ以外の指で行われることになる。例えば、左手の親指以外の指が盤面側延出縁部１２１の上面に乗せられていれば、その指、例えば図示するように人差し指ＨＹを伸ばしたり広げたりすることで貸出ボタン１３０を操作できる。左手の親指以外の指を遊技球受皿１２４の中に入れていれば、その指を遊技球受皿１２４から一旦出した後に伸ばしたり広げたりすることで貸出ボタン１３０を操作できる。【選択図】図３
2007195671.tif 000002
【特許請求の範囲】
【請求項１】
遊技球の貸し出し指令を受けると遊技球を貸し出し排出する遊技機であって、
前記貸し出しを受けた遊技球を発射機器に到る手前で貯留する遊技球受皿と、
遊技盤の前面から前方に突出し、前記遊技球受皿を形成する受皿形成部と、
遊技者に操作されると、前記貸し出し指令を発する貸し出し操作部とを備え、
前記受皿形成部は、
前記遊技球受皿の開口上縁から遊技盤盤面側に延びた盤面側延出縁部と、前記開口上縁から遊技者側に延びた遊技者側延出縁部とを、前記遊技球受皿を挟んで有し、
前記貸し出し操作部は、
前記盤面側延出縁部に配設され、前記盤面側延出縁部の上面の側から操作される
遊技機。
【請求項２】
請求項１に記載の遊技機であって、
前記貸し出し指令を受けた遊技球の排出は、
遊技球の貸し出しに関する情報を記憶した記憶媒体の記憶情報に基づいて行われる
遊技機。
【請求項３】
請求項１または請求項２に記載の遊技機であって、
前記盤面側延出縁部と前記遊技者側延出縁部とは、
遊技者の手が前記遊技球受皿を跨ぎ、遊技者の掌が前記遊技者側延出縁部に位置した受皿跨ぎ姿勢にある場合に、遊技者の親指を除く指の腹が前記盤面側延出縁部の上面に乗る間隔を隔てて形成されている
遊技機。
【請求項４】
請求項３に記載の遊技機であって、
前記盤面側延出縁部は、前記遊技球受皿の前記開口上縁から水平方向に前記遊技盤盤面側に延びている
遊技機。
【請求項５】
請求項３または請求項４に記載の遊技機であって、
前記貸し出し操作部は、遊技者の掌が前記受皿跨ぎ姿勢にある場合に、遊技者の親指を除く前記指が延びる範囲、または前記指が広がる範囲に配設されている
遊技機。
【請求項６】
請求項２ないし請求項５いずれかに記載の遊技機であって、
更に、
前記記憶媒体を返却する返却指令を発する返却操作部を、前記盤面側延出縁部に配設して備え、
前記返却操作部は、前記盤面側延出縁部の上面の側から操作される
遊技機。
【請求項７】
請求項６に記載の遊技機であって、
前記返却操作部は、前記貸し出し操作部から所定の隔たりを確保して配設されている
遊技機。
【発明の詳細な説明】
【技術分野】
【０００１】
本発明は、遊技機、特に遊技機の遊技球貸し付け操作に関する。
【背景技術】
【０００２】
遊技機での遊技に際しては、遊技者は玉貸しを受けた遊技球を用いる。近年では、遊技最中の玉貸しの手間を省くと共に、金銭取扱の簡略化からプリペイドカードを用いることが主流となっている。プリペイドカードを用いて玉貸しを受けるには、まずプリペイドカードをカード挿入機器に挿入し、遊技前に、或いは遊技最中に貸し出しボタンを操作する。そうすると、遊技球が遊技球受皿に排出され、その遊技球で遊技が開始できる。
【０００３】
一般に、遊技者は、入賞増加、延いては大当たり獲得のため、発射機器で打ち出した玉の軌跡、いわゆる球筋を揃えようとする。このため、発射ハンドルの操作感や操作位置がなるべく変わらないよう、右手では発射ハンドルを把持しつつ、左手を受皿やその周辺に突いて上体がぶれないような遊技姿勢を取っている。こうした遊技姿勢を維持していても発射球が少なくなり貸し玉補充が必要なときもあるが、遊技者には、この貸し玉補充の際も大きく姿勢を変えたくない要求がある。こうした要求に応えるべく種々の提案がなされている（例えば、特許文献１）。
【０００４】
【特許文献１】特開２００２−３５５４２２号公報
【０００５】
この特許文献では、貸し出しを受けた遊技球を発射機器に到る手前で貯留する遊技球受皿の前面側に貸し玉用の操作ボタンを設け、受皿やその周辺に突いた左手の親指での操作ボタン操作を可能としている。
【０００６】
しかしながら、ボタン操作のために親指を動かす際には、親指付け根の掌部分も追従して動くことから、受皿やその周辺に突いた左手の掌の感触も変化する。よって、上記した遊技姿勢を維持しようとしている遊技者に違和感を抱かせることが危惧される。その一方、親指の第１関節の曲げだけであれば、受皿やその周辺に突いた左手の掌の感触はほとんど変わらないため遊技者の違和感は軽減される。親指の第１関節の曲げでボタン操作できるようにするには、親指の腹部分に位置するように操作ボタンを配設する必要がある。そうすると、遊技者が遊技に夢中となって緊張したような局面では、遊技者は親指をおもわず曲げてしまって操作ボタンの誤操作がなされてしまい、不用意に貸し玉がなされてしまうことが有りえる。
【発明の開示】
【発明が解決しようとする課題】
【０００７】
本発明は、遊技機での遊技最中における遊技球の貸し出しに際しての上記問題点を解決するためになされ、遊技球の貸し出しに伴う違和感軽減と誤操作回避との両立を図ることをその目的とする。
【課題を解決するための手段】
【０００８】
かかる課題の少なくとも一部を解決するため、本発明の遊技機では、貸し出しを受けた遊技球を発射機器に到る手前で貯留する遊技球受皿を受皿形成部にて形成するに当たり、この受皿形成部を遊技盤の前面から前方に突出させた。その上で、この受皿形成部においては、遊技球受皿を挟んで、遊技球受皿の開口上縁から遊技盤盤面側に延びた盤面側延出縁部と、開口上縁から遊技者側に延びた遊技者側延出縁部とを設け、この盤面側延出縁部に貸し出し操作部を配設し、貸し出し操作部は盤面側延出縁部の上面の側から操作されるようにした。そして、この貸し出し操作部が遊技者に操作されると、貸し出し指令が発せられるので、この貸し出し指令を受けて遊技球は遊技球受皿に排出される。
【０００９】
上記構成の本発明による遊技機で遊技する遊技者は、既存の遊技機の場合と同様に、右手で発射ハンドルを把持しつつ、左手を遊技球受皿やその周辺に突いて上体がぶれないような遊技姿勢を取る。この際、左手の掌、特に親指付け根の掌部分は、遊技球受皿よりも遊技者の側の部位、即ち遊技者側延出縁部に乗せられ、親指もこの遊技者側延出縁部の側にある。一方、親指を除く他の指は、遊技者側延出縁部よりも遊技盤盤面の側の部位、即ち盤面側延出縁部の側に位置し、当該盤面側延出縁部の上面に乗せられたり、遊技球受皿の中に入れられる。親指を除く他の指を遊技球受皿の中に入れるのは、これら指で遊技球受皿の遊技球の流れを整流したり、遊技球のたまりを体感するために通常なされることである。
【００１０】
左右の手を上記したようにして遊技している最中に遊技者が遊技球貸し出しを行う場合、上記構成の本発明による遊技機では、上記した左手における親指以外の指の位置関係と貸し出し操作部の配設位置関係から、貸し出し操作部の操作は、必然的に左手の親指以外の指で行われることになる。より詳しくは、左手の親指以外の指が盤面側延出縁部の上面に乗せられていれば、その指を伸ばしたり広げたりすることで貸し出し操作部の操作が可能となり、左手の親指以外の指を遊技球受皿の中に入れていれば、その指を遊技球受皿から出した後に伸ばしたり広げたりすることで貸し出し操作部の操作が可能となる。
【００１１】
このように親指以外の指を動かす場合、左手の掌全体はもとより親指付け根の掌部分にあってもほとんど動くことはない。このため、上記構成の本発明による遊技機によれば、遊技球受皿やその周辺に突いた左手の掌の感触をほとんど変わらないようにできることから、遊技最中における遊技球の貸し出しに伴う違和感を軽減できる。また、盤面側延出縁部の上面に例え親指以外の指が乗せられていても、親指以外の指を伸ばしたり広げた際に貸し出し操作部を操作できればいいことから、貸し出し操作部の配設位置の自由度が増し、貸し出し操作部を指の腹部分に配設する必要もない。よって、誤操作回避の実効性も高まる。
【００１２】
本発明の遊技機は、次のような態様とすることもできる。例えば、前記貸し出し指令を受けた遊技球の排出を、遊技球の貸し出しに関する情報を記憶した記憶媒体の記憶情報に基づいておこなう。こうすれば、プリペイドカードやクレジットカード、ＩＣカードといった記憶媒体を用いて遊技球貸し出しを行う遊技機においても、既述した効果を奏することができる。この場合、貸し出し指令を受けた遊技球の排出については貸し出し機器を用いることができ、当該貸し出し機器は、遊技機に組み込む構成の他、遊技機台間に組み込む構成とすることができる。
【００１３】
また、前記盤面側延出縁部と前記遊技者側延出縁部とを形成するに当たり、遊技者の手が前記遊技球受皿を跨ぎ、遊技者の掌が前記遊技者側延出縁部に位置した受皿跨ぎ姿勢にある場合に、遊技者の親指を除く指の腹が前記盤面側延出縁部の上面に乗る間隔を隔てて上記両延出縁部を形成することができる。こうすれば、左手の親指付け根を含む掌部分を遊技者側延出縁部に乗せ、親指もこの遊技者側延出縁部の側に位置させたまま、親指以外の指を盤面側延出縁部の上面に無理なく乗せることができる。よって、親指以外の指での貸し出し操作部操作が確実となる。
【００１４】
また、前記盤面側延出縁部を、前記遊技球受皿の前記開口上縁から水平方向に前記遊技盤盤面側に延びるようにできる。こうすれば、親指以外の指をより一層無理なく盤面側延出縁部の上面に乗せることができ、親指以外の指での貸し出し操作部操作の確実性の上から好ましい。
【００１５】
更に、前記貸し出し操作部を、遊技者の掌が前記受皿跨ぎ姿勢にある場合に、遊技者の親指を除く前記指が延びる範囲、前記指が広がる範囲に配設すれば、親指以外の指での貸し出し操作部操作の確実性の上からより好ましい。
【００１６】
加えて、前記記憶媒体を返却する返却指令を発する返却操作部を、前記盤面側延出縁部に配設して備え、前記返却操作部を前記盤面側延出縁部の上面の側から操作するようにもできる。こうすれば、左手の親指以外の指で返却操作部を操作して記憶媒体の返却を受けることができる。そして、前記返却操作部を前記貸し出し操作部から所定の隔たりを確保して配設することもできる。通常、記憶媒体の返却は遊技終了時に行われ、その際には、左手を遊技球受皿付近に留め置く必要はない。よって、左手を遊技球受皿付近から離して、手軽に返却操作部を操作できる。
【発明を実施するための最良の形態】
【００１７】
以下、本発明の実施の形態について、実施例に基づき説明する。図１は実施例におけるパチンコ遊技機１００の概略斜視図である。
【００１８】
図示するように、パチンコ遊技機１００は、木製の外枠１１２と、この外枠１１２の外側側面にセットされるプリペイドカードユニット１１５を備える。プリペイドカードユニット１１５は、貸球数の情報が記録されたプリペイドカードをカード挿入孔１１６に挿入することにより所定数の遊技球Ｂを遊技球受皿１２４に供給する装置である。こうした遊技球Ｂの貸し出しは、後述の貸出ボタン１３０の操作時に発せられる貸し出し指令に基づいて行われる。
【００１９】
パチンコ遊技機１００は、木製の外枠１１２に内枠用ヒンジ１１３を介して開閉可能に軸着される内枠１１４を備える。内枠１１４は、遊技盤盤面を覆い、遊技盤の遊技領域をガラス１１７にて視認させる。そして、パチンコ遊技機１００は、ガラス１１７の下方に、貸球や賞球としての遊技球Ｂを発射機器１５２（図２参照）に到る手前で貯留する遊技球受皿１２４を備え、この遊技球受皿１２４を、遊技盤の前面、詳しくは内枠１１４の前面から前方に突出した受皿形成部１２０にて形成する。その様子については、後述する。
【００２０】
パチンコ遊技機１００は、遊技球受皿１２４よりも下方の内枠１１４表面に、遊技球受皿１２４の容量を越えて払い出された遊技球Ｂを貯留する下皿１２５と、発射ハンドル１２６とを備え、発射ハンドル１２６の根本側で内枠１１４の内側に、図示しない発射機器を備える。遊技球Ｂは遊技球受皿１２４から発射機器の発射位置（打球位置）に供給され、パチンコ遊技機１００は、発射ハンドル１２６の回転操作を経て駆動する発射機器により遊技球Ｂを遊技領域に向けて発射する。なお、遊技盤の遊技領域には、遊技趣向に合わせた風車や入賞口、図柄表示装置、大当たり入賞口等の各種の役物の他、入賞口への入賞状況に応じて種々の形態で点灯ないし点滅する表示ランプや種々のセンサが装着されているが、これらは本発明の要旨に直接関係しないのでその説明は省略する。
【００２１】
パチンコ遊技機１００は、受皿形成部１２０にて遊技球受皿１２４を形成するに当たり、この受皿形成部１２０を遊技盤前面たる内枠１１４から前方に突出させ、その上で、この受皿形成部１２０においては、遊技球受皿１２４を挟んで、遊技球受皿１２４の開口上縁から遊技盤盤面側に延びた盤面側延出縁部１２１と、開口上縁から遊技者側に延びた遊技者側延出縁部１２２とを設けた。そして、パチンコ遊技機１００は、この盤面側延出縁部１２１の上面に、貸し出し操作部としての貸出ボタン１３０と、返却操作部としての返却ボタン１３２とを備え、これらボタンを盤面側延出縁部１２１の上面の側から操作できるようにした。返却ボタン１３２は、遊技の終了時や中断時に遊技者により操作され、その操作を受けると、カード挿入孔１１６に挿入したプリペイドカードを返却する返却指令を発する。
【００２２】
本実施例では、受皿形成部１２０において、盤面側延出縁部１２１と遊技者側延出縁部１２２とを遊技球受皿１２４を挟んで配設するに際し、遊技者の手が遊技球受皿１２４を跨ぎ、その遊技者の掌が遊技者側延出縁部１２２に位置した受皿跨ぎ姿勢にある場合に、上記の両延出縁部を、遊技者の親指を除く指の腹が盤面側延出縁部１２１の上面に乗る間隔を隔てるように形成した。また、盤面側延出縁部１２１については、遊技球受皿１２４の開口上縁から水平方向に遊技盤盤面側に延びるようにした。
【００２３】
更に、貸出ボタン１３０については、遊技者の掌が既述した受皿跨ぎ姿勢にある場合に、遊技者の親指を除く指が延びる範囲、或いはその指が広がる範囲に配設することとした。返却ボタン１３２は、この貸出ボタン１３０から所定の隔たりを確保して配設した。詳しくは、返却ボタン１３２が発射ハンドル１２６の側に離れるよう、貸出ボタン１３０の側方側に配設した。
【００２４】
次に、パチンコ遊技機１００の電気的な構成について説明する。図２はこのパチンコ遊技機１００の概略的な電気的構成を示すブロック図である。図示するように、パチンコ遊技機１００は、制御装置１５０を中心にして構成される。制御装置１５０は、マイクロコンピュータとして構成され、論理演算回路であるＣＰＵ、一時的データの記憶を行うＲＡＭ、後述するプログラムに付いてのデータ等を記憶するＲＯＭ等を備え、発射機器１５２やプリペイドカードユニット１１５、発射ハンドル１２６、表示機器１５４、プリペイドカードユニット１１５におけるカード読み取り機器１５６、貸出ボタン１３０、返却ボタン１３２の他、遊技盤における種々のセンサ群および役物駆動機器１５８と接続されている。そして、制御装置１５０はパチンコ遊技機１００の種々の制御を統括する。
【００２５】
以上のように構成されたパチンコ遊技機１００では、制御装置１５０によって以下のように遊技内容が実行される。プリペイドカードユニット１１５にプリペイドカードが挿入された後に貸出ボタン１３０が押されると、貸し出し指令が制御装置１５０に発せられ、制御装置１５０は、読み取り機器１５６で読み取ったカードの貸球数の情報に基づいて、貸球としての所定数の遊技球Ｂをパチンコ遊技機１００前面側の遊技球受皿１２４に排出する。
【００２６】
この後、発射ハンドル１２６の回転操作がなされると、制御装置１５０は、発射機器１５２の発射モータや打球竿等を駆動し、遊技球受皿１２４に払い出された遊技球Ｂを遊技領域に向けて発射する。発射された遊技球Ｂはガラス１１７の内側の遊技領域に導かれる。
【００２７】
その一方、返却ボタン１３２が操作されると、カードの返却指令が制御装置１５０に発せられ、制御装置１５０は、プリペイドカードユニット１１５のカード送り機構にカード返却コマンドを送る。これにより、カードは遊技者に返却される。
【００２８】
次に、上記構成のパチンコ遊技機１００で遊技する遊技者が取る手の挙動、特に遊技球受皿１２４周辺における手の挙動について説明する。図３は遊技球受皿１２４周辺を斜視にて概略的に表す説明図、図４は遊技球受皿１２４周辺を平面視して概略的に表す説明図、図５は遊技球受皿１２４周辺を遊技機側方側から概略的に表す説明図である。
【００２９】
遊技者は、図１に示すパチンコ遊技機１００正面の図示しない椅子に腰掛け、既存の遊技機の場合と同様に、右手で発射ハンドル１２６を把持しつつ、左手ＬＨを遊技球受皿１２４やその周辺に突いて上体がぶれないような遊技姿勢を取る。この際、左手の掌、特に親指付け根の掌部分ＴＨは、遊技球受皿１２４よりも遊技者の側の部位、即ち遊技者側延出縁部１２２に乗せられて、当該縁部の遊技者側コーナーに押し付けられることになる。この場合、親指ＯＹもこの遊技者側延出縁部１２２の側にあり、当該縁部上面に乗せられたり指の腹を遊技者側延出縁部１２２の遊技者側側面に押し付けられる。
【００３０】
その一方、親指を除く他の指は、遊技者側延出縁部１２２よりも遊技盤盤面の側の部位、即ち盤面側延出縁部１２１の側に位置し、当該延出縁部の上面に乗せられたり、遊技球受皿１２４の中に入れられる。親指を除く他の指を遊技球受皿１２４の中に入れるのは、これら指で遊技球受皿１２４の遊技球Ｂの流れを整流したり、遊技球Ｂのたまりを体感するために通常なされる。
【００３１】
左右の手を上記したようにして遊技している最中に遊技者が遊技球貸し出しを行う場合、上記構成のパチンコ遊技機１００では、上記した左手における親指以外の指の位置関係と貸出ボタン１３０の配設位置関係から、貸出ボタン１３０の操作は、必然的に左手の親指ＯＹ以外の指で行われることになる。より詳しくは、左手の親指以外の指が盤面側延出縁部１２１の上面に乗せられていれば、その指、例えば図示するように人差し指ＨＹを伸ばしたり広げたりすることで貸出ボタン１３０を操作できる。左手の親指以外の指を遊技球受皿１２４の中に入れていれば、その指を遊技球受皿１２４から一旦出した後に伸ばしたり広げたりすることで貸出ボタン１３０を操作できる。
【００３２】
この場合、本実施例では、遊技球受皿１２４を挟んだ盤面側延出縁部１２１と遊技者側延出縁部１２２との位置関係を、既述したように遊技者が受皿跨ぎ姿勢にあるときに遊技者の親指を除く指の腹が盤面側延出縁部１２１の上面に乗るようにした。よって、左手の親指付け根の掌部分ＴＨを遊技者側延出縁部１２２に乗せ、親指もこの遊技者側延出縁部１２２の側に位置させたまま、親指以外の指を盤面側延出縁部１２１の上面に無理なく乗せることができるので、親指以外の指で確実に貸出ボタン１３０を操作できる。
【００３３】
このように親指以外の指を動かす場合、左手の掌全体はもとより親指付け根の掌部分ＴＨにあってもほとんど動くことはない。このため、上記構成のパチンコ遊技機１００によれば、遊技球受皿１２４やその周辺に突いた左手の掌の感触をほとんど変わらないようにできることから、遊技最中における遊技球Ｂの貸し出しに伴う違和感を軽減できる。また、盤面側延出縁部１２１の上面に例え親指以外の指が乗せられていても、親指以外の指を伸ばしたり広げた際に貸出ボタン１３０を操作できればいいことから、貸出ボタン１３０の配設位置の自由度が増し、貸出ボタン１３０を指の腹部分に配設する必要もない。よって、誤操作回避の実効性も高まる。
【００３４】
しかも、盤面側延出縁部１２１を、遊技球受皿１２４の開口上縁から水平方向に遊技盤盤面側に延びるようにしたので、親指以外の指をより一層無理なく盤面側延出縁部１２１の上面に乗せることができる。よって、親指以外の指での貸出ボタン１３０操作がより確実となり好ましい。
【００３５】
そして、貸出ボタン１３０を盤面側延出縁部１２１に配設するに当たっては、この貸出ボタン１３０を、遊技者の掌が受皿跨ぎ姿勢にある場合に、遊技者の親指を除く指が延びる範囲、或いはその指が広がる範囲に配設した。よって、この点からも、親指以外の指での貸出ボタン１３０操作の確実性の上で好ましい。
【００３６】
加えて、盤面側延出縁部１２１には、返却ボタン１３２を貸出ボタン１３０から離間させて遊技機側方側に配設し、この返却ボタン１３２を盤面側延出縁部１２１の上面の側から操作するようにした。よって、左手の親指以外の指で返却ボタン１３２を操作してカード返却を受けることができる。そして、返却ボタン１３２が貸出ボタン１３０から離れていることから、カード返却を欲する遊技終了時や遊技中断時にあっては、左手を遊技球受皿付近から離して、手軽に返却ボタン１３２を操作できる。
【００３７】
以上、本発明の実施例について説明したが、本発明は、上記した実施の形態に限られるものではなく、その要旨を逸脱しない範囲において種々の態様にて実施することが可能である。例えば、上記の実施例では、プリペイドカードユニット１１５をパチンコ遊技機１００と別体としたが、プリペイドカードの受け入れ・読み取り機構をパチンコ遊技機１００自体に組み込むこともできる。また、貸出ボタン１３０と返却ボタン１３２を、ライト内蔵タイプのボタン構成とすることもできる。
【図面の簡単な説明】
【００３８】
【図１】実施例におけるパチンコ遊技機１００の概略斜視図である。
【図２】このパチンコ遊技機１００の概略的な電気的構成を示すブロック図である。
【図３】遊技球受皿１２４周辺を斜視にて概略的に表す説明図である。
【図４】遊技球受皿１２４周辺を平面視して概略的に表す説明図である。
【図５】遊技球受皿１２４周辺を遊技機側方側から概略的に表す説明図である。
【符号の説明】
【００３９】
１００…パチンコ遊技機
１１２…外枠
１１３…内枠用ヒンジ
１１４…内枠
１１５…プリペイドカードユニット
１１６…カード挿入孔
１１７…ガラス
１２０…受皿形成部
１２１…盤面側延出縁部
１２２…遊技者側延出縁部
１２４…遊技球受皿
１２５…下皿
１２６…発射ハンドル
１３０…貸出ボタン
１３２…返却ボタン
１５０…制御装置
１５２…発射機器
１５４…表示機器
１５６…カード読み取り機器
１５８…役物駆動機器
Ｂ…遊技球
ＨＹ…指
ＬＨ…左手
ＯＹ…親指
ＴＨ…掌部分
【図１】
2007195671.tif 000003
【図２】
2007195671.tif 000004
【図３】
2007195671.tif 000005
【図４】
2007195671.tif 000006
【図５】
2007195671.tif 000007